(57)【要約】      （修正有）【課題】金型は必要なく、回路基板に直接的に成形され、コストが有効に低下される電気コネクタデバイスを提供する。【解決手段】ディスプレイポートに用いられる電気コネクタデバイス１であって、板体１１と複数の第１の接触パッド１２と複数の第２の接触パッドとを含み、板体１１は、電子製品の回路基板の側縁から一体に伸び出して形成され、或いは独立成形された回路基板２であり、板体１１の対向の両面はそれぞれ頂面１１１及び底面１１２であり、該第１の接触パッド１２は、板体１１の頂面１１１に間隔を隔て設けられ、該第２の接触パッドは、板体１１の底面１１２に間隔を隔て設けられる。【選択図】図１
0003146092.tif 000002
【実用新案登録請求の範囲】
【請求項１】
ディスプレイポートに用いられる電気コネクタデバイスであって、
回路基板であってその対向の両面はそれぞれ頂面及び底面である板体と、
前記板体の頂面に間隔を隔て設けられた複数の第１の接触パッドと、
前記板体の底面に間隔を隔て設けられた複数の第２の接触パッドと、を含む電気コネクタデバイス。
【請求項２】
前記第１の接触パッド及び前記第２の接触パッドは、導電性の良い金属材料で作製されることを特徴とする請求項１記載の電気コネクタデバイス。
【請求項３】
前記第１の接触パッド及び前記第２の接触パッドは、金の指のように該板体に設けられ、該回路基板に電気的に接続されることを特徴とする請求項１記載の電気コネクタデバイス。
【請求項４】
前記第１の接触パッド、前記第２の接触パッド、および前記板体は、ディスプレイポートの仕様に符合することを特徴とする請求項１記載の電気コネクタデバイス。
【請求項５】
前記板体は、電子製品の回路基板の側縁から一体に伸び出して形成されることを特徴とする請求項１記載の電気コネクタデバイス。
【請求項６】
前記板体は、独立成形された回路基板であることを特徴とする請求項１記載の電気コネクタデバイス。
【考案の詳細な説明】
【技術分野】
【０００１】
本考案は、電気コネクタデバイスに係り、特に、ディスプレイポート（Display Port）に用いられる電気コネクタデバイスに関る。
【背景技術】
【０００２】
従来のディスプレイポートに用いられる電気コネクタは、電子製品（例えば、ノートパソコン）の回路基板に設けられ、該電気コネクタは、対応の突き継ぎ用電気コネクタと互いに差し込むことで、信号転送することができる。従来のディスプレイポートに用いられる電気コネクタは、ともに、絶縁本体および該絶縁本体に設けられた複数の導電端子を含み、該電気コネクタは、金型で製造しなければならず、組立にも複雑で時間がかかり、該電気コネクタは、さらに溶接の方式で回路基板に設置されるため、コストが有効に低下し難い。例えば、我が国特許証号M327100号（公告日：２００８年２月１１日）に「保護回路を有する画像表示接続ポート」を掲示しており、該画像表示接続ポートも、金型で製造しなければならず、溶接の方式で回路基板に設置されるなどの問題を有する。
【０００３】
そのため、本考案者は、前記欠点が改良できるのを感心して、長年以来この領域で積み立てた経験により、専念な観察かつ研究をし、さらに学術理論の運用に合せ、やっと合理な設計且つ前記の欠点を有効に改良できた本考案を提案した。
【考案の開示】
【考案が解決しようとする課題】
【０００４】
本考案の主な目的は、金型は必要なく、回路基板に直接的に成形され、コストを有効に低下させる電気コネクタデバイスを提供することにある。
【課題を解決するための手段】
【０００５】
前記目的を達成するため、本考案は、ディスプレイポートに用いられる電気コネクタデバイスであって、回路基板であってその対向の両面はそれぞれ頂面及び底面である板体と、前記板体の頂面に間隔を隔て設けられた複数の第１の接触パッドと、前記板体の底面に間隔を隔て設けられた複数の第２の接触パッドと、を含む電気コネクタデバイスを提供した。
【０００６】
本考案は、以下の有益な効果がある。
該板体を電気コネクタデバイスの絶縁本体とし、該板体の頂面及び底面に複数の第１の接触パッドおよび複数の第２の接触パッドを夫々設け、これらの第１、第２の接触パッドで導電端子とし、電気コネクタデバイスを構成し、該電気コネクタデバイスは、金型必要せず、回路基板に直接的に成形され、コストが有効に低下される。
【０００７】
本考案の特徴技術及び技術内容をより詳しく了解するために、以下に本考案に関わる詳細な説明及び添付図面を参照すれば、深くかつ具体的に理解できると確信しているが、それらの添付図面が参考及び説明のみに使われ、本考案の主張範囲を狭義的に局限するものではないことは言うまでもないことである。
【考案を実施するための最良の形態】
【０００８】
図１〜図３を参照すると、本考案は、ノートパソコン、テレビ、卓上型LCDまたは携帯式装置などの電子製品のディスプレイポートに用いられる電気コネクタデバイス１であって、板体１１と複数の第１の接触パッド１２と複数の第２の接触パッド１３とを含み、該板体１１は、電子製品の回路基板２の側縁から一体に伸び出して形成され、該板体１１の対向の両面はそれぞれ頂面１１１及び底面１１２である。該板体１１は、独立に成形する回路基板であってもよい、さらに、ケーブルで電子製品の回路基板に電気的に接続し、或いは、単独のケーブルなどの他の関連応用に適用される。
【０００９】
これらの第１の接触パッド１２は、該板体１１の頂面１１１に間隔を隔て設けられ、これらの第２の接触パッド１３は、該板体１１の底面１１２に間隔を隔て設けられ、これらの第１の接触パッド１２及びこれらの第２の接触パッド１３は、導電性のよい金属材料（例えば、銅）で作製され、これらの第１の接触パッド１２及びこれらの第２の接触パッド１３は、金の指のように該板体１１の頂面１１１及び底面１１２に設けられ、該回路基板２上の回路に電気的に接続される。これらの第１の接触パッド１２、これらの第２の接触パッド１３、および該板体１１は、ディスプレイポートの仕様に符合し、対応の突き継ぎ用電気コネクタと互いに差し込むことができ、該突き継ぎ用電気コネクタが、該電気コネクタデバイスを介して回路基板２に電気的に接続されるようになり、上記のように構成し、本考案の電気コネクタデバイスを形成する。
【００１０】
本考案は、該板体１１を電気コネクタデバイスの絶縁本体とし、該板体１１の頂面１１１及び底面１１２に複数の第１の接触パッド１２及び複数のの第２の接触パッド１３を夫々設け、これらの第１の接触パッド１２及びこれらの第２の接触パッド１３を導電端子として、電気コネクタデバイスを形成する。該電気コネクタデバイスは、金型は必要なく、回路基板２に直接的に成形され、作成簡単で、コストが有効に低下される。
【００１１】
しかし、以上のように単に本考案の好ましい具体的な実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【図面の簡単な説明】
【００１２】
【図１】図１は、本考案係る電気コネクタデバイスを示す斜視図である。
【図２】図２は、本考案係る電気コネクタデバイスを示す平面図である。
【図３】図３は、本考案係る電気コネクタデバイスを示す平面図である。
【符号の説明】
【００１３】
１        電気コネクタデバイス
１１      板体
１２      第１の接触パッド
１３      第２の接触パッド
１１１    頂面
１１２    底面
２        回路基板
【図１】
0003146092.tif 000003
【図２】
0003146092.tif 000004
【図３】
0003146092.tif 000005
【手続補正書】
【提出日】平成20年8月22日(2008.8.22)
【手続補正１】
【補正対象書類名】実用新案登録請求の範囲
【補正対象項目名】請求項３
【補正方法】変更
【補正の内容】
【請求項３】
前記第１の接触パッド及び前記第２の接触パッドは、該板体に設けられ、該回路基板に電気的に接続されることを特徴とする請求項１記載の電気コネクタデバイス。
【手続補正２】
【補正対象書類名】明細書
【補正対象項目名】０００９
【補正方法】変更
【補正の内容】
【０００９】
これらの第１の接触パッド１２は、該板体１１の頂面１１１に間隔を隔て設けられ、これらの第２の接触パッド１３は、該板体１１の底面１１２に間隔を隔て設けられ、これらの第１の接触パッド１２及びこれらの第２の接触パッド１３は、導電性のよい金属材料（例えば、銅）で作製される。これらの第１の接触パッド１２及びこれらの第２の接触パッド１３は、該板体１１の頂面１１１及び底面１１２に設けられ、該回路基板２上の回路に電気的に接続される。これらの第１の接触パッド１２、これらの第２の接触パッド１３、および該板体１１は、ディスプレイポートの仕様に符合し、対応の突き継ぎ用電気コネクタと互いに差し込むことができ、該突き継ぎ用電気コネクタが、該電気コネクタデバイスを介して回路基板２に電気的に接続されるようになり、上記のように構成し、本考案の電気コネクタデバイスを形成する。